(57)【特許請求の範囲】
【請求項１】
第１のシャフトと、
前記第１のシャフトの内部に形成され、バルーンの膨張に必要な液体が供給される膨張ルーメンと、
前記第１のシャフトの前端部から同軸に延長される第２のシャフトと、
前記第２のシャフトの内部に形成され、ガイドワイヤが通過するガイドワイヤルーメンと、
前端部は、前記第２のシャフトに付着されて膨張可能であり、後端部の一部は、前記第１のシャフトの前端部に付着されるバルーンと、を備え、
前記バルーンが付着された部分の前方に対応する前記第１のシャフトに圧力注入ポートが形成され、前記バルーンの内部に液体が注入され、前記バルーンが付着された部分の後方に対応する前記第２のシャフトにワイヤ排出孔が形成され、前記ガイドワイヤが排出され、
前記第１のシャフト及び第２のシャフトの間には、そして圧力注入ポート及びワイヤ排出孔の間には、遮断材が設置され、
前記膨張ルーメンとガイドワイヤとは分離されたことを特徴とするバルーンカテーテル。
【請求項２】
前記第１のシャフトの後端に設置され、液体を供給する加圧装置と結合されたハブをさらに備えることを特徴とする請求項１に記載のバルーンカテーテル。
【請求項３】
前記バルーンの上部及び下部の前端部は、前記第２のシャフトの前端部に付着され、前記バルーンの上部の後端部は、前記第２のシャフトの後端部に付着され、前記バルーンの下部の後端部は、前記第１のシャフトの前端部に付着されることを特徴とする請求項１に記載のバルーンカテーテル。
【請求項４】
前記第１のシャフト及び第２のシャフトの少なくともいずれか一つには、放射線不透過性のマーカーが形成されることを特徴とする請求項１に記載のバルーンカテーテル。
【請求項５】
前記バルーンは、第１の膨張部と、前記第１の膨張部よりも小さな直径を有する第２の膨張部と、を有することを特徴とする請求項１に記載のバルーンカテーテル。
【請求項６】
前記第２の膨張部の上部の後端部は、前記第２のシャフトに付着され、この状態で、前記第２の膨張部及び第２のシャフトを貫通するワイヤ排出孔が形成されることを特徴とする請求項５に記載のバルーンカテーテル。
【請求項７】
前記第２の膨張部の上部の後端部は、前記第２のシャフト及び第１のシャフトにわたって付着されることを特徴とする請求項６に記載のバルーンカテーテル。
【請求項８】
前記第１のシャフトまたは前記第１のシャフトから第２のシャフトに連結されるコアワイヤをさらに備えることを特徴とする請求項１に記載のバルーンカテーテル。
【請求項９】
前記コアワイヤは、ステンレス鋼、ニチノール、または高分子のいずれか一つで構成されることを特徴とする請求項８に記載のバルーンカテーテル。
【発明の詳細な説明】
【技術分野】
【０００１】
本発明は、バルーンカテーテルに関し、より詳しくは、バルーンの膨張のための液体が供給される膨張ルーメンと、ガイドワイヤが通過するガイドワイヤルーメンとが重ねられないように構成し、シャフトの直径を小さくすることにより、ガイディングカテーテルの制限された空間に容易に伝達することができ、充分な空間を確保可能にし、施術時、造影剤の注入を円滑にし、二つ以上のバルーンカテーテルが同時に進入可能にする伝達性（pushability）を向上させることができるバルーンカテーテルに関する。
【背景技術】
【０００２】
一般に、バルーンカテーテルとステントは、人体内において生じる各種の疾病により、人体内の内腔が狭くなり、その固有の機能を低下させ、または血管が狭くなり、血液循環か不良である場合等の、疾患が生じた場合、その内腔または血管の内部に施術され、内腔または血管を拡張させる医療用器具である。
【０００３】
冠状動脈疾患（coronary arterial disease）または虚血性心疾患（ischemic heart disease）は、冠状動脈の血管壁に脂肪成分が沈着し、それに伴う炎症反応により、冠状動脈の内腔が段々狭くなり、狭くなった冠状動脈の内腔の大きさのため、心臓筋肉（心筋）に充分な血液の供給が行われなくて生じる疾患である。
【０００４】
心筋に充分な血液が供給されないと、その程度により、胸痛、呼吸困難、及びその他の症状が生じる。このような冠状動脈疾患は、狭心症、急性心筋梗塞症、及び急死等の臨床症状として示される。
【０００５】
経皮冠動脈インターベンション（percutaneous coronary intervention：ＰＣＩ）は、コレステロールが血管壁に沈着して狭くなった冠状動脈の内腔を、バルーンカテーテルまたはステントを用いて物理的に拡張させる治療方法である。
【０００６】
図１は、従来の技術によるバルーンカテーテルを示す側面図である。図示のように、従来の技術によるバルーンカテーテルのシャフト１の前端部には、バルーン２が設けられる。バルーン２は、シャフト１の前端部に接着剤等を用いて付着されてもよい。
【０００７】
一方、シャフト１の一側には、ガイドワイヤが排出されるワイヤ排出孔３が形成される。このように、既存のバルーンカテーテルでは、ワイヤ排出孔３が形成されたシャフト１の断面をみると、図1に示すように、シャフト１の内部には、ガイドワイヤが通過するガイドワイヤルーメン４と膨張ルーメン５が一緒に形成される。
【０００８】
すなわち、ガイドワイヤは、バルーンカテーテルの前端部（開口している）に挿入され、ガイドワイヤルーメン４を通過し、ワイヤ排出孔３に排出されることにより、バルーンカテーテルが、ガイドワイヤに沿って進入及び浸出されるようにする役割をする。膨張ルーメン５では、バルーン２を膨張させるための液体（圧力伝達のための溶液、例えば、造影剤とsalineとの混合物等）が供給される。膨張のための液体は、シャフト１の後端に設けられた連結ポート６から供給される。連結ポート６は、膨張・収縮装置と連結されるポートである。
【０００９】
しかしながら、このような従来の技術では、以下の問題点があった。
【００１０】
従来の技術によるバルーンカテーテルでは、シャフト１にガイドワイヤルーメン４と膨張ルーメン５が重ねられて形成されることにより、シャフト１の直径が全体的に大きくなるという問題点があった。このようにシャフト１の直径が大きくなると、施術者がカテーテルを施術するとき、伝達性に劣り、施術が難しく、特に、心臓血管のように曲がりくねった（tortuous）血管の施術が困難であるという問題点があった。
【００１１】
また、ガイドワイヤルーメン４と膨張ルーメン５が一緒に形成されており、膨張ルーメン５の直径が相対的に小さくなるしかなく、バルーン２の膨張及び収縮に時間が長くかかるという問題点があった。
【発明の概要】
【発明が解決しようとする課題】
【００１２】
本発明は、上記問題点に鑑みなされたものであり、その目的は、バルーンカテーテルのシャフトの直径を相対的に小さくし、伝達性を向上させ、バルーンの膨張及び収縮に要する時間を最少化することができるバルーンカテーテルを提供することにある。
【００１３】
本発明が解決しようとする課題は、上述した技術的課題に制限されず、言及されていないまた他の技術的課題は、下記の記載に基づき、本発明の属する技術の分野における通常の知識を有する者にとって明確に理解されるだろう。
【課題を解決するための手段】
【００１４】
上述した目的を達成するための本発明の特徴によると、本発明は、第１のシャフトと、前記第１のシャフトの内部に形成され、バルーンの膨張に必要な液体が供給される膨張ルーメンと、前記第１のシャフトの前端部から同軸に延長される第２のシャフトと、前記第２のシャフトの内部に形成され、ガイドワイヤが通過するガイドワイヤルーメンと、前端部は、前記第２のシャフトに付着されて膨張可能であり、後端部の一部は、前記第１のシャフトの前端部に付着されるバルーンと、を備え、前記バルーンが付着された部分の前方に対応する前記第１のシャフトに圧力注入ポートが形成され、前記バルーンの内部に液体が注入され、前記バルーンが付着された部分の後方に対応する前記第２のシャフトにワイヤ排出孔が形成され、前記ガイドワイヤが排出され、前記第１のシャフト及び第２のシャフトの間には、そして圧力注入ポート及びワイヤ排出孔の間には、遮断材が設置され、前記膨張ルーメンとガイドワイヤとは分離されたことを特徴とする。
【００１５】
前記第１のシャフトの後端に設置され、液体を供給する加圧装置と結合されたハブをさらに備えることを特徴とする。
【００１６】
前記バルーンの上部及び下部の前端部は、前記第２のシャフトの前端部に付着され、前記バルーンの上部の後端部は、前記第２のシャフトの後端部に付着され、前記バルーンの下部の後端部は、前記第１のシャフトの前端部に付着されることを特徴とする。
【００１７】
前記第１のシャフト及び第２のシャフトの少なくともいずれか一つには、放射線不透過性のマーカーが形成されることを特徴とする。
【００１８】
前記バルーンは、第１の膨張部と、前記第１の膨張部よりも小さな直径を有する第２の膨張部と、を有することを特徴とする。
【００１９】
前記第２の膨張部の上部の後端部は、前記第２のシャフトに付着され、この状態で、前記第２の膨張部及び第２のシャフトを貫通するワイヤ排出孔が形成されることを特徴とする。
【００２０】
前記第２の膨張部の上部の後端部は、前記第２のシャフト及び第１のシャフトにわたって付着されることを特徴とする。
【００２１】
前記第１のシャフトまたは前記第１のシャフトから第２のシャフトに連結されるコアワイヤをさらに備えることを特徴とする。
【００２２】
前記コアワイヤは、ステンレス鋼、ニチノール、または高分子のいずれか一つで構成されることを特徴とする。
【発明の効果】
【００２３】
本発明によると、第１のシャフト及び第２のシャフトが同軸に連結され、それぞれのシャフトに膨張ルーメンとガイドワイヤルーメンがそれぞれ形成されることにより、シャフトの直径を全体的に小さくすることができ、施術がより容易であり、伝達性が向上するという効果がある。
【００２４】
また、単一のシャフトに一つのルーメンのみが存在することにより、膨張ルーメンの直径が相対的に大きくなり、バルーンの膨張及び収縮に要する時間が短縮されるという効果がある。
【図面の簡単な説明】
【００２５】
【図１】従来の技術によるバルーンカテーテルを示す側面図である。
【図２】本発明の一実施例によるバルーンカテーテルを示す側面図である。
【図３】本発明の他の実施例によるバルーンカテーテルを示す側面図である。
【図４】本発明の他の実施例によるバルーンカテーテルの要部を拡大して示す側面図である。
【図５】本発明のまた他の実施例によるバルーンカテーテルを示す側面図である。
【図６】本発明のまた他の実施例によるバルーンカテーテルの要部を拡大して示す側面図である。
【発明を実施するための形態】
【００２６】
以下、添付した図面に基づき、本発明によるバルーンカテーテルの一実施例について詳述する。以下において用いられる用語である「前方」は、図２を基準とするとき、下端、すなわち、バルーンカテーテルの挿入方向を意味し、「後方」は、図２を基準とするとき、上端、すなわち、バルーンカテーテルの挿入方向の反対方向を意味する。また、「前端」との用語は、バルーンカテーテルにおいて前方側に位置した端部を意味し、「後端」との用語は、バルーンカテーテルにおいて後方側に位置した端部を意味する。
【００２７】
図２は、本発明の一実施例によるバルーンカテーテルを示す側面図である。
【００２８】
図示のように、本発明によるバルーンカテーテルは、大別して、第１のシャフト１０と、第１のシャフト１０の前端部に付着されるバルーン１２と、バルーン１２が付着された第１のシャフト１０の前端部から同軸に延長される第２のシャフト２０と、を備える。
【００２９】
第１のシャフト１０及び／または第２のシャフト２０には、バルーンカテーテルのトルクを向上させるために、編んだ形状（braided）であるだけでなく、一般に、血管内壁との摩擦を減少させるために、親水性コートが行われている。第１のシャフト１０の前端部には、バルーン１２が、接着剤、熱またはレーザを用いた付着手段により、前端部と後端部がそれぞれ付着されてもよい。バルーン１２は、第１のシャフト１０に付着され、または第１のシャフト１０及び第２のシャフト２０に重ねられてもよい。バルーン１２は、外周面にステント（図示せず）が付着された状態で、徐々に膨張し、血管の内壁にステントを密着させる役割をする。
【００３０】
第１のシャフト１０の内部には、膨張ルーメン１３が形成される。膨張ルーメン１３は、ハブ１６から供給される液体（圧力伝達のための溶液、例えば、造影剤とsalineとの混合物等）が流動する通路である。ハブ１６は、膨張・収縮装置（図示せず）が結合され、膨張・収縮装置では、液体を加圧して供給することにより、バルーン１２を膨張させる役割をする。本実施例では、第１のシャフト１０の内部に膨張ルーメン１３のみが形成されており、ガイドワイヤルーメン２２は形成されていない。これについては、以下においてさらに詳述する。
【００３１】
また、第１のシャフト１０におけるバルーン１２が付着された前端部には、圧力注入ボート１４が形成される。圧力注入ボート１４は、膨張ルーメン１３から供給される液体がバルーン１２に注入される部分である。圧力注入ボート１４は、第１のシャフト１０に少なくとも一つ以上が形成されてもよい。例えば、圧力注入ボート１４が、バルーン１２の前端部と後端部に対応する部分にそれぞれ形成されると、バルーン１２は不均一に膨張せず、全体的に同時に広げられる。
【００３２】
また、第１のシャフト１０には、少なくとも一つ以上のマーカー１５が形成される。マーカー１５は、放射線不透過性の材質で形成されるものであり、施術時、バルーンカテーテルの位置を容易に把握するために形成された部分である。マーカー１５は、放射線不透過性の金属または樹脂で形成され、例えば、ステンレス鋼、金、白金、錫、タングステン、及び鉛からなる群から選ばれた一つ以上で形成されてもよい。
【００３３】
一方、以上では、マーカー１５が第１のシャフト１０にのみ形成されるものとして説明しているが、これに限定されるものではなく、マーカー１５が第２のシャフト２０の前端部に形成されてもよい。
【００３４】
次に、第１のシャフト１０の前端部には、第２のシャフト２０が同軸に延長される。本実施例において、第１のシャフト１０と第２のシャフト２０は、互いに連通せず、各ルーメン１３、２２が遮断されるように連結されなければならない。このため、第１のシャフト１０と第２のシャフト２０との間には、遮断材２１が設けられてもよい。例えば、第２のシャフト２０は、第１のシャフト１０と一体で形成され、互いに連結される部分に遮断材２１が設置されるように作製されてもよい。また、第２のシャフト２０は、第１のシャフト１０とは別個に作製され、いずれか一つの端部が閉鎖した状態で結合されてもよい。
【００３５】
第２のシャフト２０の内部には、ガイドワイヤが通過するためのガイドワイヤルーメン２２が形成される。ガイドワイヤルーメン２２は、ガイドワイヤが挿入して通過する部分である。本実施例では、第１のシャフト１０と第２のシャフト２０が、互いに連通せず、膨張ルーメン１３とガイドワイヤルーメン２２が互いに隔離するので、単一のシャフトに二つのルーメン１３、２２が重ねられず、一つのルーメン１３、２２のみが位置するので、シャフトの直径を最小化するという長所がある。
【００３６】
従来のバルーンカテーテルは、図１に示すように、シャフトの直径が０．８７ｍｍであったが、本発明によるバルーンカテーテルによると、図２に示すように、シャフトの直径が０．６ｍｍに小さくなってもよい。このような直径の変化は、使用するガイドワイヤの大きさにより異なり、前記例示した数値は、０．０１４"のガイドワイヤを用いるときの数値である。したがって、バルーンカテーテルの小型化が可能であるので、心臓血管のように曲がりくねった血管での移動性が良好になり、伝達性が向上され得る。また、バルーンカテーテルの形状が小さくなることにより、５Ｆガイディングカテーテルを用いてkissing balloon techniqueとkissing stentingが可能となる。また、５Ｆガイディングカテーテルを用いてstentingを行うとき、最も問題となる造影剤の注入（contrast injection）の困難性を克服することができ、向後、transfemoral approachよりもtransradial approachをさらに活発に行うことができる。
【００３７】
また、単一のシャフトに一つのルーメン１３、２２のみが位置するので、従来に比べて、膨張ルーメン１３の直径が相対的に大きくなるので、より多量の液体が注入または排出され、バルーン１２の膨張及び収縮の時間が短縮され得る。また、ガイドワイヤルーメン２２の直径が相対的に大きくなるので、ガイドワイヤの挿入が容易となる。
【００３８】
一方、第２のシャフト２０の後端部には、ガイドワイヤが排出されるワイヤ排出孔２４が形成される。ガイドワイヤは、第２のシャフト２０の前端部（開口している）から挿入され、ワイヤ排出孔２４から排出されることにより、バルーンカテーテルがガイドワイヤに沿って進入及び浸出されるようにする役割をする。
【００３９】
すなわち、ガイドワイヤは、ガイドワイヤルーメン２２を通過して挿入され、第２のシャフト２０の前端に排出される。
【００４０】
以下では、このような構成を有する本発明によるバルーンカテーテルの施術過程を簡単に説明する。血管バルーン成形施術は、ガイドワイヤが予め挿入された状態で、バルーンカテーテルの挿入が開始される。バルーンカテーテルは、治療すべき病変または狭窄部に到達するまで、ガイドワイヤに沿って挿入される。バルーンカテーテルが病変または狭窄部に到達すると、施術者は、加圧装置と結合されたハブ１６から液体を供給し、圧力注入ボート１４から注入された液体によりバルーン１２が膨張する。膨張されたバルーン１２は、狭窄した血管を広げ、血流の流れを円滑にする。この際、バルーン１２の外側に存在するガイドワイヤは、石灰化し過ぎた動脈硬化班にクラックを引き起こす役割を期待することができる。
【００４１】
また、バルーン１２の外面にステントが収縮した状態で血管に挿入され、病変または狭窄部において膨張され、病変の治療が可能である。この際、ガイドワイヤが挿入された状態で、すなわち、ガイドワイヤがステントの外側に存在する状態で、バルーン１２を拡張することもでき、ステントを位置させた後、ガイドワイヤを抜き出した状態でバルーン１２を拡張することもできる。
【００４２】
次に、図３及び図４を参照して、本発明の他の実施例について説明する。図３は、本発明の他の実施例によるバルーンカテーテルを示す側面図であり、図４は、本発明の他の実施例によるバルーンカテーテルの要部を拡大して示す側面図である。
【００４３】
本実施例では、ガイドワイヤを、上述した図２の実施例のようにバルーンの前方から排出するものではなく、後方から排出するように構成した。以下、上述した実施例と同一または類似した構成要素については、百番台の図面符号を付与し、便宜上、具体的な説明を省略する。
【００４４】
図３を参照すると、第１のシャフト１０の内部には、膨張ルーメン１１３が形成され、前端部には、圧力注入ポート１１４が形成され、第２のシャフト１２０の内部には、ガイドワイヤルーメン１２２が形成される。
【００４５】
上述した図２の実施例では、第１のシャフト１０と第２のシャフト２０との境界が、バルーン１２の前端部または圧力注入ボート１４の前方に位置するが、図３では、第１のシャフト１１０と第２のシャフト１２０との境界が、圧力注入ポート１１４の前方に位置し、バルーン１１２の後端部の後方に位置する点において、両方の差がある。
【００４６】
一方、本実施例において、バルーン１１２は、上部及び下部が相違してシャフト１１０、１２０に付着される。参考として、バルーン１１２の上部は、シャフト１１０、１２０を中心として上側に位置した部分をいい、バルーン１１２の下部は、シャフト１１０、１２０を中心として下側に位置した部分をいう。ここで、バルーン１１２の形状は、図３に示した形状以外にも、球形（spherical）、楕円形（elliptical）、円錐形、また二重直径のバルーン（stepped balloon）等の形状を有してもよい。
バルーン１１２の上部は、前端部または後端部がそれぞれ第２のシャフト１２０に付着されるが、バルーン１１２の下部において、前端部は、第２のシャフト１２０に付着され、後端部は、第１のシャフト１１０に付着される。すなわち、バルーン１１２の上部及び下部の前端部は、同一の位置に付着されるが、後端部は、相違した位置に付着されるものである。このように、バルーン１１２の上下部が分けられ、第１のシャフト１１０及び第２のシャフト１２０に付着されることにより、膨張ルーメン１１３とガイドワイヤルーメン１２２の分離が可能である。
【００４７】
図４を参照すると、バルーン１１２の下部の後端部は、圧力注入ポート１１４よりも後方に対応する第１のシャフト１１０に付着される。したがって、圧力注入ポート１１４に注入された液体は、バルーン１１２を膨張させるようになる。
【００４８】
一方、第２のシャフト１２０の後端部には、ガイドワイヤＷが排出されるワイヤ排出孔１２４が形成される。また、ワイヤ排出孔１２４は、第２のシャフト１２０に付着されたバルーン１１２の後方に対応する第２のシャフト１２０に形成されることにより、バルーン１１２と干渉しない。したがって、第２のシャフト１２０は、実質的にバルーン１１２の内部を横切って延長され、ガイドワイヤＷとバルーン１１２が付着された部分の後方から内部を横切って通過するようになる。
【００４９】
ここで、バルーン１１２の付着位置を上下部に分けて説明したが、実質的にバルーン１１２は一体で形成されており、バルーン１１２の側部は、シャフト１１０、１２０にそれぞれ付着された上部及び下部を連結するようになる。また、バルーン１１２は、必ずしも、図４示すように付着されなければならないのではなく、バルーン１１２の上部及び下部が互いに反対に、または異なる角度でシャフト１１０、１２０に付着されてもよい。また、バルーン１１２の作製は、上下部に分け、大きさの異なる二つのバルーン１１２の半分を先ず作製し、これをレーザで付着してもよく、特殊の形態のモールディングを作って作製してもよい。
【００５０】
また、本実施例では、遮断材１２１がバルーン１１２の後方に位置しているが、図２の実施例では、遮断材２１がバルーン１２の前方に位置する点において異なる。
【００５１】
一方、バルーン１１２の外周面には、ステント１３０が設けられ、病変または狭窄部までバルーンカテーテルで伝達することができる。
【００５２】
本実施例によるバルーンカテーテルの施術過程は、上述した実施例の施術過程と実質的に同一である。
【００５３】
上述した本発明によるバルーンカテーテルは、第１のシャフト１０、１１０及び第２のシャフト２０、１２０のそれぞれに膨張ルーメン１３、１１３及びガイドワイヤルーメン２２、１２２が互いに遮断されて形成されればよく、上述した実施例に限定されるものではない。
【００５４】
一方、上述した第１のシャフト１０、１１０及び第２のシャフト２０、１２０の直径と物性は、異なって作製されてもよい。
【００５５】
次に、図５及び図６を参照して、本発明のまた他の実施例について説明する。図５は、本発明のまた他の実施例によるバルーンカテーテルを示す側面図であり、図６は、本発明のまた他の実施例によるバルーンカテーテルの要部を拡大して示す側面図である。以下、上述した実施例と同一または類似した構成要素については、二百番台の図面符号を付与し、便宜上、具体的な説明を省略する。
【００５６】
本実施例では、バルーン２１２、２１３は、第１の膨張部２１２と、第１の膨張部２１２よりも小さな直径を有する第２の膨張部２１３とを有する二重地のバルーン形状である。本実施例において、このように、バルーン２１２、２１３の形状を変更したことは、バルーン２１２、２１３の膨張時、破裂されることを防止するためのものである。
【００５７】
具体的に説明すると、液体注入により、バルーン２１２、２１３が膨張されるとき、相対的に小さな直径を有する第２の膨張部２１３が優先して膨張する。第２の膨張部２１３は、実質的に第２のシャフト２２０と、例えば、０．１〜１．０ｍｍの小さな間隔を有するようになる。したがって。バルーン２１２、２１３が膨張する過程で、第２の膨張部２１３から膨張されると、第１の膨張部２１２が均一に膨張され、直径が常時第１の膨張部２１２が第２の膨張部２１３よりも大きいので、ラプラスの法則（LaPlace’law）により、バルーンの表面に受ける膨張力（wall tension）は、第１の膨張部２１２に比べて、第２の膨張部２１３が顕著に小さくなり、たとえ、第２の膨張部２１３に一部のシャフトに癒着する変形を加えても、破裂現像を最少化することができる。
【００５８】
図６を参照すると、第２の膨張部２１３の上部は、後端部が第２のシャフト２２０に付着される。もちろん、第２の膨張部２１３の上部の後端部は、図６に示すように、第２のシャフト２２０と第１のシャフト２１０にわたって付着されてもよい。この状態で、第２の膨張部２１３の上部及び第２のシャフト２２０を貫通するワイヤ排出孔２２４が形成される。このような方法により、第２の膨張部２１３が付着されると、第２のシャフト２２０と第２の膨張部２１３との間の間隔を最小化することができるので、バルーン２１２、２１３が均一に膨張される。
【００５９】
また、本発明の実施例により、バルーンカテーテルを作製するとき、第１のシャフト２１０と第２のシャフト２２０が出会う地点、すなわち、ガイドワイヤＷが出る部位において、バルーンを進入させるために力を加えるとき、折れてしまう現像を防止し、バルーンカテーテルの伝達性を良好にするために、第１のシャフト２１０（mid-shaft）に存在し、または第１のシャフト２１０から第２のシャフト２２０に連結されるコアワイヤ（図示せず）が必要である。前記コアワイヤは、ステンレス鋼、ニチノール等の金属だけでなく、強度の異なる高分子で構成されてもよい。
【００６０】
本発明の権利範囲は、上述した実施例に限定されず、請求の範囲に記載内容により定義され、本発明の技術の分野における通常の知識を有する者が請求の範囲に記載された権利範囲内において、様々な変形と改作が可能であることは自明である。
【符号の説明】
【００６１】
１０  第１のシャフト
１２  バルーン
１３  膨張ルーメン
１４  圧力注入ポート
１５  マーカー
１６  ハブ
２０  第２のシャフト
２２  ガイドワイヤルーメン
２４  ワイヤ排出孔
【図１】
0005926381.tif 000002
【図２】
0005926381.tif 000003
【図３】
0005926381.tif 000004
【図４】
0005926381.tif 000005
【図５】
0005926381.tif 000006
【図６】
0005926381.tif 000007